(57)【要約】【課題】  図柄変動パターン演出時間の短縮を図るための停止動作指示機能を維持しつつ、この停止動作指示機能によって制御系が複雑になることなく、停止動作指示を反映した演出を実行することで、遊技者介入という趣向性と、制御系の複雑化回避とを両立する。【解決手段】  スイッチ５０の操作によって、演出図柄変動を仮停止状態とすることで、特別図柄変動との時間差を吸収する。スイッチ５０による停止動作指示に対して期待度に応じた滑りコマ数を設定（抽選）したため、遊技者は自身のスイッチ５０の操作に対する停止形態によって期待度を認識することができる。スイッチ５０による停止動作指示により仮停止した演出図柄に対応するリーチ演出を選択したため、演出図柄変動からリーチ演出まで、一環した図柄を用いた演出がなされる。【選択図】      図６
2006174863.tif 000002
【特許請求の範囲】
【請求項１】
始動口への入賞を主目的とした通常遊技状態において、前記始動口への入賞を契機に特別図柄抽選が実行され、前記特別図柄抽選が当たりの場合に、短期間で多くの賞球をもたらす特別遊技状態とする遊技機であって、
前記特別図柄抽選の結果に基づいて決定される特別図柄変動時間で特別図柄変動を実行する特別図柄変動実行制御手段と、
前記特別図柄とは別に設定された演出図柄を用いて、前記特別図柄変動実行制御手段と関連付けて演出図柄変動演出を実行し、当該演出図柄変動の本停止図柄で特別図柄抽選の結果を報知する演出図柄変動実行制御手段と、
前記演出図柄変動演出中に操作が有効とされる操作部を備え、当該操作部の操作があった場合に、前記特別図柄変動時間に準じて実施するべき当該演出図柄変動演出の停止動作時期を早めて、当該停止動作の実行を指示する停止動作指示手段と、
前記演出図柄変動演出の中に前記当たりの期待度を高める期待度向上演出が付加されている場合に、前記期待度向上演出の実行を報知する仮停止を行い、当該仮停止の際の演出図柄の種類に応じて、前記期待度向上演出の種類を選択して期待度演出を実行した後に演出図柄を本停止させる期待度向上演出実行制御手段と、
前記停止動作指示手段による停止動作指示があった場合に、前記演出図柄変動演出の停止動作を実行し、当該停止動作による図柄停止状態を前記仮停止又は本停止まで維持する停止動作実行制御手段と、
を有する遊技機。
【請求項２】
前記特別図柄抽選の結果が当たりの場合に実行される特別遊技状態において、前記演出図柄変動の仮停止図柄の種類に応じた当たり演出を実行することを特徴とする請求項１記載の遊技機。
【請求項３】
前記停止動作指示手段による停止動作指示の際、予め設定された停止動作時間に対して、前記特別図柄抽選の結果に応じて、当該停止動作時間を延長する停止動作時間延長手段をさらに有することを特徴とする請求項１又は請求項２記載の遊技機。
【請求項４】
前記停止動作時間延長手段による延長時間の長さと、前記特別図柄抽選の当たりの期待度とが対応付けられており、この延長を実行するか否かを別途期待度報知抽選によって決定することを特徴とする請求項３記載の遊技機。
【発明の詳細な説明】
【技術分野】
【０００１】
本発明は、始動口へのパチンコ球の入賞を主目的とした通常遊技状態において、前記始動口への入賞を契機に特別図柄抽選が実行され、前記特別図柄抽選が当たりの場合に、短期間で多くの賞球をもたらす特別遊技状態とする遊技機に関するものである。
【背景技術】
【０００２】
従来より、遊技機、特にパチンコ機において、始動口（特別図柄始動口）に入賞したパチンコ球を検出することで特別図柄抽選（以下、特図抽選という。）がなされ、この特図抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り処理）を持つパチンコ機がある。
【０００３】
この種のパチンコ機では、特図抽選の結果を遊技者に報知する演出として、パチンコ機のゲージ盤の中央に表示部（通常は液晶表示画面）を設置している。この表示部は、複数の列（例えば３列）の図柄変動パターン演出画像が表示されると共に、この図柄変動パターン演出画像と重なるように背景画像が表示される。
【０００４】
前記始動口に入賞し、特図抽選が実行されると、表示部では、図柄変動パターン演出が実行され、当該図柄変動パターン演出後の変動した図柄の停止図柄の並び方で当選／落選（当／外）を報知するようになっている。遊技者は、この図柄変動画面を見ることによって、当たりか外れかに一喜一憂するため、期待感を持たせることができる。
【０００５】
ところで、図柄変動パターンは、年々趣向を凝らした演出となり、その演出時間が長くなる傾向となっている。すなわち、この図柄変動パターンは、本来遊技者に当／外の抽選結果を報知するものであるが、最近では、図柄変動パターンそのものを独立して楽しめるような工夫を凝らしている。
【０００６】
このような傾向下において、遊技者が図柄変動パターンそのものを楽しむ場合はよいが、遊技を早く進行させたい遊技者にとっては、却って煩わしく、不快感を与えることになる。
【０００７】
このため、特許文献１では、遊技者の意志で図柄変動パターン演出を途中で中断し、早期に特図抽選結果を報知することができる、外部入力可能な短縮操作部を設けた遊技機が提案されている。
【０００８】
この特許文献１によれば、遊技者の意志により短縮操作部を操作することで、早期に特図抽選結果が表示され、遊技の進行を早めることができる。
【０００９】
特許文献１では、図柄変動パターン演出を見たい遊技者は短縮操作部を操作しなければよいし、早期に遊技を進行させたい遊技者は短縮操作部を操作すればよいため、遊技者の意のままに表示状態を変更することが可能である。
【特許文献１】特開２００２−１５９６８９公報
【発明の開示】
【発明が解決しようとする課題】
【００１０】
しかしながら、上記特許文献１では、始動口への入賞があったときに設定された図柄変動パターン演出を途中で中断することになり、遊技の進行、表示部の表示、並びにランプ点灯やスピーカ出力等を全て時間管理して同期をとっているため、遊技者の意図で図柄変動パターン演出の停止がなされると、関連する制御にも影響があり、全体的に制御が複雑となる。
【００１１】
すなわち、遊技者介入の停止操作は遊技者の趣向性を増すために残しておきたいが、この停止操作機能を持たせることにより制御が複雑化するという二律背反の問題がある。
【００１２】
本発明は上記事実を考慮し、図柄変動パターン演出時間の短縮を図るための停止動作指示機能を維持しつつ、この停止動作指示機能によって制御系が複雑になることなく、停止動作指示を反映した演出を実行することで、遊技者介入という趣向性と、制御系の複雑化回避とを両立することができる遊技機を得ることが目的である。
【課題を解決するための手段】
【００１３】
請求項１に記載の発明は、始動口への入賞を主目的とした通常遊技状態において、前記始動口への入賞を契機に特別図柄抽選が実行され、前記特別図柄抽選が当たりの場合に、短期間で多くの賞球をもたらす特別遊技状態とする遊技機であって、前記特別図柄抽選の結果に基づいて決定される特別図柄変動時間で特別図柄変動を実行する特別図柄変動実行制御手段と、前記特別図柄とは別に設定された演出図柄を用いて、前記特別図柄変動実行制御手段と関連付けて演出図柄変動演出を実行し、当該演出図柄変動の本停止図柄で特別図柄抽選の結果を報知する演出図柄変動実行制御手段と、前記演出図柄変動演出中に操作が有効とされる操作部を備え、当該操作部の操作があった場合に、前記特別図柄変動時間に準じて実施するべき当該図柄変動演出の停止動作時期を早めて、当該停止動作の実行を指示する停止動作指示手段と、前記演出図柄変動演出の中に前記当たりの期待度を高める期待度向上演出が付加されている場合に、前記期待度向上演出の実行を報知する仮停止を行い、当該仮停止の際の演出図柄の種類に応じて、前記期待度向上演出の種類を選択して期待度演出を実行した後に演出図柄を本停止させる期待度向上演出実行制御手段と、前記停止動作指示手段による停止動作指示があった場合に、前記演出図柄変動演出の停止動作を実行し、当該停止動作による図柄停止状態を前記仮停止又は本停止まで維持する停止動作実行制御手段と、を有している。
【００１４】
請求項１記載の発明によれば、特別図柄抽選が実行されると、特別図柄変動実行制御手段では、その抽選結果に基づいて決定される特別図柄変動時間で特別図柄変動を実行する。
【００１５】
一方、演出図柄変動実行制御手段では、前記特別図柄とは別に設定された演出図柄を用いて、前記特別図柄変動実行制御手段と関連付けて演出図柄変動演出を実行する。この演出図柄は、遊技者に対して、特別図柄の状態を演出を加味して報知するものであり、当該演出図柄変動の本停止図柄で特別図柄抽選の結果を報知する。
【００１６】
このとき、操作部の操作があると、停止動作指示手段では、特別図柄変動時間に準じて実施するべき当該図柄変動演出の停止動作時期を早めて、当該停止動作の実行を指示する。
【００１７】
停止動作指示手段による停止動作指示があった場合には、停止動作実行制御手段により、演出図柄変動演出の停止動作を実行する。この場合、特別図柄変動の時間に合わせるべく、早期の停止動作による図柄停止状態を特別図柄変動の本停止まで維持する。
【００１８】
ここで、演出図柄変動演出の中に前記当たりの期待度を高める期待度向上演出（例えば、リーチ演出のように停止した２列の図柄が同一の図柄で揃い、他の図柄が変動中で大当たりになりやすいような演出）が付加されている場合に、期待度向上演出実行制御手段では、期待度向上演出の実行を報知する変動している図柄を一時的に停止する仮停止を行う（例えば、仮停止によって当選に近いリーチ状態であることを報知）。このとき、仮停止した演出図柄の種類に応じて、前記期待度向上演出の種類を選択して期待度演出を実行し、その後演出図柄を本停止させる。
【００１９】
すなわち、仮停止図柄の種類を期待度向上演出の種類とに統一がとれるため、違和感なく仮停止状態から期待度向上演出へ移行することができる。
【００２０】
この仮停止を境に期待度向上演出が実行される場合、前記停止動作実行制御手段による早期の停止動作による図柄停止状態を仮停止まで維持する。これにより、特別図柄変動と演出図柄変動とは時間的に一致するため、制御系に負担をかけることがない。しかも、操作部による停止指示による早期停止という演出効果も残しているため、遊技者に遊技への参加という新たな趣向性を持たせることができる。
【００２１】
さらに、遊技者自身で停止指示して停止した演出図柄に応じて、期待度向上演出の種類が選択されるため、遊技者の操作が反映されることを認識することができる。
【００２２】
請求項２に記載の発明は、前記請求項１に記載の発明において、前記特別図柄抽選の結果が当たりの場合に実行される特別遊技状態において、前記演出図柄変動の仮停止図柄の種類に応じた当たり演出を実行することを特徴としている。
【００２３】
請求項２に記載の発明によれば、特別図柄抽選の結果が当たりの場合に実行される特別遊技状態において当たり演出が実行されるが、このときも、前記演出図柄変動の仮停止図柄の種類に応じた当たり演出を実行することで、遊技者の意志（停止指示により停止した演出図柄）を反映することができる。
【００２４】
請求項３に記載の発明は、前記請求項１又は請求項２に記載の発明において、前記停止動作指示手段による停止動作指示の際、予め設定された停止動作時間に対して、前記特別図柄抽選の結果に応じて、当該停止動作時間を延長する停止動作時間延長手段をさらに有することを特徴としている。
【００２５】
請求項３に記載の発明によれば、停止動作時間延長手段により、前記停止動作指示手段による停止動作指示の際、予め設定された停止動作時間に対して、前記特別図柄抽選の結果に応じて、当該停止動作時間を延長する。これにより、特別図柄抽選の結果を停止動作時間によって感覚的に認識可能となる。
【００２６】
請求項４に記載の発明は、前記請求項３に記載の発明において、前記停止動作時間延長手段による延長時間の長さと、前記特別図柄抽選の当たりの期待度とが対応付けられており、この延長を実行するか否かを別途期待度報知抽選によって決定することを特徴としている。
【００２７】
請求項４に記載の発明によれば、特別図柄抽選の結果は当たりか外れ（当選／落選）しかないが、予め落選を含めて当たりへの期待度を定めておき、これを停止操作に対する停止動作時間に関連付けておくことで、遊技者は停止操作後の停止動作時間によって感覚的に期待度を認識し、遊技性を高めることができる。
【発明の効果】
【００２８】
以上説明した如く本発明では、図柄変動パターン演出時間の短縮を図るための停止動作指示機能を維持しつつ、この停止動作指示機能によって制御系が複雑になることなく、停止動作指示を反映した演出を実行することで、遊技者介入という趣向性と、制御系の複雑化回避とを両立することができるという優れた効果を有する。
【発明を実施するための最良の形態】
【００２９】
（全体構成）
図１には、本実施の形態に係るパチンコ機１０が示されている。パチンコ機１０は額縁状の枠体１２に収容されている。パチンコ機１０の前面には、ガラス枠１４が設けられている。
【００３０】
ガラス枠１４には、複数の表示灯１６やスピーカ１８が設けられている。また、ガラス枠１４の中央は窓部となっており、この窓部には紙面奥行き方向に所定の間隔で互いに平行とされた一対のガラス２０（二重構造）が装着されている。さらに、ガラス枠１４の図１の右辺部には施錠装置（シリンダ）２２が設けられている。
【００３１】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００３２】
この貯球タンクには、パチンコ機１０の上端に設けられた貯留部（図示省略）に貯留されたパチンコ球が払い出されるようになっている。この払い出しには、遊技者にパチンコ球を貸し出すとき（球貸）と、遊技の進行に応じて遊技者に付与するとき（賞球）と、の２種類がある。
【００３３】
一体皿２６は、その一側部（図１の左辺部）が枠体１２に対して開閉可能に取付けられている。一体皿２６の前面には、左側下部に灰皿２８が配置され、右側下部には発射装置１６６（図３参照）から発射する打球の飛距離を調整するための発射ハンドル３０が設けられている。
【００３４】
前記一体皿２６における遊技者と対向する面には、スイッチ５０が設けられている。このスイッチ５０は、遊技の進行中において、遊技者が押圧操作することで、遊技の進行に何らかの影響を及ぼすことが可能となっており、スイッチ５０の配線、或いはソフト的な処理によって、設計に基づく機能を持たせることができる。本実施の形態では、主として表示部４３に表示する演出図柄変動パターン演出の停止動作指示のトリガとして適用されるようになっている。
【００３５】
また内枠１４の窓部には、遊技盤載置台に載せて交換可能とされた遊技盤３２が窓部に対応して設置されている。
【００３６】
図２に示される如く、遊技盤３２は、外バンド３６及び内バンド３８によって囲まれた略円形状の遊技領域が形成されている。
【００３７】
遊技領域には、図示しない釘や風車の他、センター役物４２、当該センター役物４２に設けられた演出図柄表示部４３Ｂ、特別図柄表示部４３Ａ並びに大入賞口（変動入賞装置）４４等の役物、特別図柄始動口４６や通過装置４８、入賞装置４９等の遊技部品が取り付けられており、最下位置にアウト口５４が配置されている。なお、センター役物４２の上端部には、普通図柄表示装置４２Ａが設けられている。
【００３８】
通過装置４８（図２の向かって左側の通過装置４８のみの場合もある）は、前記普通図柄表示装置４２Ａの始動トリガとなっており（普通図柄始動口）、通過装置４８をパチンコ球が通過すると普通図柄抽選（普図抽選）が実行され、当たりの場合、普通図柄表示装置４２Ａの表示が当りを表示し、電動チューリップ４７が開放し、特別図柄始動口４６への入賞の確率が物理的に高まるようになっている。
【００３９】
また、表示部４３の上部には、保留ランプ１００が設けられており、本実施の形態では、最大４個の保留が可能であるため、この数に対応した４個の保留ランプ１００が設けられている。
【００４０】
保留とは、前記特別図柄表示部４３Ａ、演出図柄表示部４３Ｂにおいて、図柄変動パターン演出を実行中に新たに特別図柄始動口４６に入賞した場合に、この入賞により実行された特図抽選の結果の報知を待機することを言う。なお、大当たり処理中に特別図柄始動口４６に入賞した場合も、表示部４３が大当たり処理演出の動画パターンを再生しているため、保留の対象となる。但し、保留する数には限度があり（本実施の形態では４個）、これ以上の特別図柄始動口４６への入賞は保留の対象とはならない。
【００４１】
なお、通過装置４８をパチンコ球が通過したときにも、普図抽選を保留可能なように制御してもよい。
【００４２】
（制御系の構成）
図３には、パチンコ機１０を制御するための制御系の概略が示されている。制御系は、主制御部１５０を中心として構成されている。主制御部１５０には、遊技に関する基本的なプログラムが記憶されており、この主制御部１５０からの命令信号に基づいて、各部の動作が制御されるようになっている。
【００４３】
この主制御部１５０には、特別図柄始動口４６に設けられた始動入賞センサ１６８、普通図柄始動口である通過装置４８や、入賞装置４９に設けられた通過／入賞センサ１７２並びに大入賞口４４に入賞したパチンコ球を検出する大入賞口センサ１７３、前記一体皿２６に設けられたスイッチ５０が接続されている。なお、大入賞口４４には、大入賞口の開閉動作を継続するためのＶゾーンが設けられており、このＶゾーンにもＶゾーンセンサ１７７が設けられており、主制御部１５０に接続されている。このＶゾーンセンサ１７７は、省略して大入賞口センサ１７３のみにするものでもよい。
【００４４】
また、上記では、スイッチ５０の操作信号は、主制御部１５０を通して演出制御部１５２へ送出される構成であるが、当該スイッチ５０を演出制御部１５２に直接接続するようにしてもよい。
【００４５】
さらに、主制御部１５０には、特別図柄始動口４６に設けられた電動チューリップ４７（図２参照）を開閉させるための普通電動役物ソレノイド１７４、大入賞口４４を開閉させるための大入賞口ソレノイド１７５、特別図柄表示部４３Ａ、保留ランプ１００、普通図柄表示装置４２Ａが接続されている。
【００４６】
また、主制御部１５０からは盤用外部端子１９０を介してホールコンピュータへ遊技の進行状態を示す大当り信号やスタート信号等の情報が出力されるようになっている。
【００４７】
ここで、パチンコ球が特別図柄始動口４６に入賞すると、これを始動入賞センサ１６８で検出することで特図抽選が主制御部にて実行されるようになっており、当選した場合は、通常遊技状態から特別遊技状態へ遊技状態が移行するように主制御部が制御するようになっている。
【００４８】
一方、この主制御部１５０には、演出制御部１５２と、払出制御部１５４とが接続されている。
【００４９】
演出制御部１５２には、図柄・音声制御部１５６を介してスピーカ１８、センター役物４２の演出図柄表示部（ＬＣＤ）４３Ｂが接続されている。また、演出制御部１５２は、パチンコ機１０のガラス枠１４に取り付けられた複数の表示灯１６の点灯・消灯を制御する。なお、演出図柄表示部４３Ｂでは、前記特図抽選の結果を報知するための演出図柄用の図柄変動パターン演出画像を表示すると共に、スピーカ１８からは当該図柄変動パターン演出時のＢＧＭが出力されるようになっている。すなわち、遊技者は、視覚及び聴覚を通じて、特図抽選の結果に対応した演出図柄による演出を楽しむことができる。なお、普通図柄表示装置４２Ａ、保留ランプ１００は演出制御部からの指示命令により表示部４３にて表示するものでもよい。なお、図柄変動パターンには、特別図柄変動パターン及び演出図柄変動パターンがあり、双方共に特図抽選の結果を報知するものであるが、特別図柄変動パターンは予め定められた変動及び停止を行い特図抽選の結果を所定時間経過後に正式に報知する性質のものであるのに対し、演出図柄変動パターンは当該特図抽選の結果を報知するまでの過程に演出を加味し、当選／落選かに一喜一憂させながら報知する性質のものである。
【００５０】
従って、実際には、演出図柄変動パターンを演出図柄表示部４３Ｂの全域に表示し、特別図柄変動パターンは、センター役物に設けられた特別図柄表示部４３Ａに形式的に表示するようにしている（詳細後述）。
【００５１】
ここで、前記特図抽選の結果が当たりとなり、演出図柄表示部４３Ｂにおける演出図柄変動パターン演出並びにスピーカ１８からのＢＧＭ出力によって、当該当選を報知し終えると、特別遊技状態である大当たり処理が実行される。
【００５２】
この大当たり処理は、前記大入賞口４４が所定回数（ラウンド）開放するものである。１ラウンドの開放時間は約３０秒とされ、この間に最大１０個のパチンコ球が入賞可能となる。すなわち、時間制限である３０秒、或いは数制限である１０個の何れか一方が先に満足されると、そのラウンドの権利は消滅し、当該大当たり処理中に大入賞口４４内のＶゾーンへの入賞があった場合に、次のラウンドへ移行することが約束される。なお、Ｖゾーンを省略し、単に所定個数のカウントをし、次に継続するものでもよい。
【００５３】
このため、特別遊技状態では、通常遊技状態よりも短期間で多くの入賞が期待され、遊技者にとって有利な遊技状態とすることができる。
【００５４】
また、前述したように、前記特別図柄表示部４３Ａ、前記演出図柄表示部４３Ｂにおいて、図柄変動パターン演出を実行中に新たに特別図柄始動口４６に入賞した場合、並びに大当たり処理中に特別図柄始動口４６に入賞した場合、保留ランプ１００の表示が入賞した数に対応して、点灯数が増えていく（最大４個）。
【００５５】
一方、前回の図柄変動パターン演出が終了する、或いは大当たり処理が終了すると、各表示部４３Ａ、４３Ｂでは、保留分の特図抽選結果の報知を行うべく、新たな図柄変動パターン演出が開始される。これに伴い、保留ランプ１００が１個消灯し、保留分の消化を遊技者に報知する。
【００５６】
また、払出制御部１５４には、払出装置１６０、貸出装置１６２、発射制御部１６４が接続されており、発射制御部１６４は、発射装置１６６を制御して、遊技者によるハンドル３０の操作に応じてパチンコ球を打ち出す。
【００５７】
さらに、払出制御部１５４では、枠用外部端子（図示省略）を介して払出情報をホールに設置されたホールコンピュータへ送出するようになっている。
【００５８】
図４には、前記演出図柄表示部４３Ｂにおける図柄変動パターン（演出図柄変動パターン）の表示形態が示されている。
【００５９】
なお、特別図柄変動パターンは、センター役物上部に設けられた特別図柄表示部４３Ａのように、２個の特図表示枠４３Ａ内で実行されるようになっており、基本的に遊技者に積極的に見せるものではなく、特図抽選の結果を忠実に報知する役目を有している。従って、特図抽選が実行されると変動を開始し、いかなる場合でも所定の時間が経過した場合に停止して（本停止）、その本停止した図柄列によって抽選結果が報知される。
【００６０】
一方、演出図柄変動パターンは、演出図柄表示部４３Ｂの全領域で実行されるようになっている。本実施の形態では、演出図柄変動パターンの画像は、それぞれ複数種類の演出図柄が帯状に配置されている２列のスクロール画像と、その背景画像とで構成されている。
【００６１】
図５に示される如く、演出図柄の種類は７種類であり、それぞれ意味を持った絵柄となっている。本実施の形態では、以下の表１に示されるように絵柄とその呼称が定められている。演出図柄番号は、図５に示す各図柄に付加された番号に相当する。
【００６２】
【表１】
2006174863.tif 000003
【００６３】
ここで、本実施の形態では、前述のように、特別図柄始動口４６への有効入賞があった場合に実行される特図抽選の結果を、演出図柄表示部４３Ｂに表示するが（保留満タン時は抽選無効となる）、演出図柄変動パターンに対して、前記スイッチ５０の操作による当該変動の早期停止を指示することが演出制御部１５２を介して可能となっている。
【００６４】
このスイッチ５０の操作は１列毎に有効とされ、２列共変動しているときは、図４の左列の停止指示となり、左列が停止しているときは右列の停止指示となる。このスイッチ５０の操作があると、該当する図柄列の演出図柄変動パターンによる演出図柄の変動表示は停止動作に入ることになる（減速）。このとき、特別図柄変動パターンによる特別図柄の変動表示は通常通り変動を継続し、所定時間経過後に停止（本停止）して特図抽選結果を報知しており、演出図柄変動パターンによる変動が早期に停止すると両者の間で時間差が生じる。このため、この時間差分の演出図柄による図柄の変動は、仮停止状態として維持されることになる（外れの場合）。
【００６５】
また、演出図柄変動パターンでは、所謂リーチ状態（２列の図柄が同一図柄で揃った状態）を形成した後、リーチ演出を行うようになっている。このリーチ演出では、２列の図柄列が同一の図柄で仮停止することになる。
【００６６】
すなわち、リーチ演出時間は、特別図柄変動パターンの所定時間に組み込まれており、前記スイッチ５０の操作による早期の図柄停止命令（信号）があった場合には、特別図柄変動パターンが変動を開始してから本停止するまでの所定時間からリーチ演出時間を差し引いた時間まで仮停止状態として維持されることになる（リーチ演出ありの場合）。
【００６７】
上記のように特図抽選後に別途抽選によって選択される図柄変動パターンには、それぞれ変動時間（特別図柄変動パターンが変動を開始してから本停止するまでの所定時間）が設定されている（表２参照）。
【００６８】
【表２】
2006174863.tif 000004
【００６９】
なお、表２において、「時短１」、「時短２」とは、大当たり処理後の特典であり、通常の変動時間よりも短い時間で特図抽選の結果を報知し、それを繰り返すことにより遊技の進行を早めるものである。
【００７０】
ここで、リーチ演出は、各演出図柄に対応した種類が各々設定されており、仮停止した演出図柄に応じて選択されて実行されるようになっている。
【００７１】
すなわち、表３に示される如く、決定した図柄変動パターン番号と、仮停止した演出図柄との関係で、リーチ演出パターンが決定するように演出制御部１５２は制御する。
【００７２】
表３によれば、リーチ演出前仮停止図柄が決まると、リーチ演出がその仮停止した図柄で実行されることがわかる。また、仮停止した図柄でのリーチ演出は、前記表２に示す図柄変動パターン番号によって、それぞれ設定しておけば、リーチ演出にバリエーションを持たせることができる。
【００７３】
【表３】
2006174863.tif 000005
【００７４】
さらに、上記仮停止図柄に基づくリーチ演出後、最終的に大当りとして当選した場合に実行される特別遊技（大当たり処理）中の演出画像においても、前記仮停止図柄に対応した演出画像（大当たり演出）が表示部４３に表示されるようになっている（表４参照）。
【００７５】
すなわち、表４に示される如く、変動からリーチ演出、さらには、当選したときの大当たり処理の際の大当たり演出まで、一環したテーマで進行するようになっている（登場するメインキャラクタが統一されている）。
【００７６】
【表４】
2006174863.tif 000006
【００７７】
さらに、前記スイッチ５０の操作による停止動作の際（停止動作を行ったタイミングで）、スイッチ５０の操作時に表示されている図柄をスクロール方向の中央（表示部４３の縦方向中央）に停止させる所謂ビタ止めが基本であるが、前記特図抽選の当選の期待度に応じて、停止動作時間を長くし、所定コマ分滑らせる（ずらす）制御を行っている（滑り制御機能）。
【００７８】
ここで言う「コマ」とは、図柄間ピッチを示すものであり、「所定コマ分滑らせる」を言い換えれば、所定の図柄数ずらす」ということができる。
【００７９】
本実施の形態では、滑りコマ数は１〜５コマとされ、この結果、スイッチ５０の操作による停止可能図柄は、ビタ止めを含めて６種類となり、６種類の期待度を滑りコマ数によって報知することが可能となる。
【００８０】
予告の実行の有無は、主制御部１５０において決定されており、演出制御部１５２では、この予告の実行有りの指示を受けて抽選によって、期待度を設定している。全般的には、当選（大当たり）の期待度が高ければ高いほど、抽選の確率が低く設定されている。
【００８１】
表５には、変動パターン種（代表として、通常変動する変動パターン１、リーチ変動を含む変動パターン４、大当たり確定の変動パターン１０を挙げる）により滑りコマ数（スベリ枚数）、予告抽選確率（％）、大当たりへの期待度の一覧が示されている。
【００８２】
【表５】
2006174863.tif 000007
【００８３】
この表５からもわかるように、例えば、通常変動では、滑り予告はほとんど実行されず（９８％が滑り「０」）、逆に滑りがあると大当たりの期待度が高い。このような、傾向はリーチ変動がある場合でも同様であるが、その差を和らげている。すなわち、滑り「０」から滑り「４」まで緩やかな変化で予告抽選確率が低下しており、滑り数と大当たりの期待度とに相関関係がある。
【００８４】
一方、大当たり確定の場合には、とくに大当たりの期待度と相関させる必要もなく、遊技性としては、あえて、ランダムに滑り数を決めている。
【００８５】
図６には、演出制御部１５２（図柄・音声制御部１５６）における演出図柄変動パターン制御のための機能ブロック図が示されている。
【００８６】
コマンド解析部２００には、主制御部１５０からコマンドが入力され、当該コマンドが解析される（コマンドには、特図変動時間情報、変動パターン種識別情報、予告有無情報等が含まれる。）。
【００８７】
コマンド解析部２００には、時間管理部２０２、変動パターン特定部２０４及び予告判定部２０６が接続されている。時間管理部２０２にはタイマ２０８が接続され、この時間管理部２０２では、特別図柄変動時間（変動パターンによって決まる所定時間）が管理されており、この所定時間に基づいて、演出図柄変動パターンの変動時間が管理されるようになっている。
【００８８】
また、変動パターン特定部２０４には、変動パターン種識別情報が入力されるようになっており、この変動パターン種識別情報が入力されると、変動パターン読出部２１０を制御して、背景画像データメモリ２１２及びスクロール画像データメモリ２１４からそれぞれ背景画像とスクロール画像（左右２列の演出変動パターン）とが読み出され、画像合成部２１６へ送出される。
【００８９】
画像合成部２１６では、前記背景画像とスクロール画像とが合成され、合成画像は、変動実行指示部２１８を介して、変動実行指示信号と共に表示制御部２２０へ送出される。これにより、表示制御部２２０では、前回の変動停止状態から新たな変動パターン種による変動が開始されることになる。なお、この場合、スクロール画像は加速し、所定の速度になる定速となる。
【００９０】
本実施の形態では、定速時の変動速度を、変動（スクロール）している各図柄が目視で確認できる程度に設定している。
【００９１】
一方、パチンコ機１０の前面に設けられたスイッチ５０は、変動停止指示部２２２に接続されている。この変動停止指示部２２２は、表示制御部２２０及び滑り制御部２２４に接続されている。
【００９２】
すなわち、スイッチ５０が操作されると、変動停止指示部２２２からは、表示制御部２２０に対して停止動作を実行するように指示する。この場合、２列共に変動中は図４の左列の図柄変動に対して停止動作を指示し、この左列のこ図柄が停止した後は、右列の図柄変動に対して停止動作を指示する。なお、それぞれの列に対応して複数のスイッチを設けてもよい。
【００９３】
これにより、定速で変動しているスクロール画像が減速制御されることになる。
【００９４】
この減速制御の終了時、スクロール画像は所定の演出図柄で停止するが、この停止図柄は仮停止図柄とされる。すなわち、表示制御部２２０には、前記時間管理部２０２が接続されており、時間管理部２０２において、特別図柄変動パターンの演出時間（所定時間）と、スイッチ５０の操作により短縮された演出図柄変動時間とが比較され、その差分（時間差）が演算されるようになっている。
【００９５】
前記時間管理部２０２には、仮停止指示部２２６が接続されている。この仮停止指示部２２６は、表示制御部２２２に接続されており、仮停止指示部２２６では、特別図柄の変動時間が経過するまでは停止状態維持信号を表示制御部２２０へ送出している。この結果、表示制御部２２０では、スイッチ５０の操作による停止指示があった場合、停止はするが最終的な停止図柄（本停止図柄）に決定したわけではないことを明確にするべく、例えば、若干振動したり、微動している仮停止図柄を表示する。なお、仮停止指示部２２６からの停止状態維持信号が消滅した時点で、本停止図柄とするべく、完全静止状態の図柄となる。
【００９６】
前記コマンド解析部２００に接続された予告判定部２０６において、予告有りと判定された場合、当該予告有りの情報を予告抽選部２２８へ送出する。予告抽選部２２８には、滑りコマ数決定部２３０が接続されており、予告抽選部２２８で行った予告抽選の結果情報を滑りコマ数決定部２３０へ送出している。
【００９７】
滑りコマ数決定部２３０では、表５に基づいて、滑りコマ数が決定され、決定された滑りコマ数は、前記滑り制御部２２４へ送出する。
【００９８】
この滑り制御部２２４は、表示制御部２２０に接続されており、前記スイッチ５０による停止操作の際、表示制御部２２０で実行するスクロール画像の減速→仮停止の制御の際、減速時間を変更し、所定コマ数分滑らせて停止（仮停止）させるようになっている。
【００９９】
また、前記変動パターン読出部２１０では、特定した演出変動パターンにリーチ演出が含まれているか否かを判断し、その情報（リーチ有無情報）を仮停止図柄判別部２３２へ送出するようになっている。このリーチ有無情報がリーチ有りの場合に、仮停止図柄判別部２３２は起動し、表示制御部２２０からの仮停止図柄情報に基づいて、仮停止した演出図柄を判別する。
【０１００】
この仮停止図柄判別部２３２で仮停止図柄を判別した場合、リーチパターン読出部２３４、並びに当選の場合には大当たり演出パターン読出部２３６に対して、当該仮停止した図柄に基づくリーチパターン、並びに大当たり演出パターンを、それぞれリーチパターンメモリ２３８、並びに大当たり演出パターンメモリ２４０から読み出し、リーチ演出実行指示部２４２並びに大当たり演出実行指示部２４４へ送出する。
【０１０１】
リーチ演出実行指示部２４２では、表示制御部２２０に対して、通常変動の終了後にリーチ演出を実行するように指示する。また、大当たり演出実行指示部２４４では、当選した場合に、表示制御部２２０に対して演出図柄変動の終了後に大当たり演出を実行するように指示する。
【０１０２】
表示制御部２２０は、図柄・音声制御部１５６の表示ドライバ２４６に接続され、この表示ドライバ２４６に画像データを送出することで、演出図柄表示部４３Ｂに画像を表示することができる。
【０１０３】
以下に、本実施の形態の作用を説明する。
【０１０４】
まず、通常遊技の流れを図７に示す主制御部１５０の制御フローチャートに従い説明する。
【０１０５】
遊技者がハンドル３０を把持し、発射のための操作を行なうと、このハンドル操作量（回転量）に応じた強度で、発射装置１６６からパチンコ球が打ち出される。
【０１０６】
パチンコ球が打ち出されると、外バンド３６及び内バンド３８に案内されて盤面３２の釘や風車等に当接しながら、予測し得ない移動をしながら落下していく。ここで、特別図柄始動口４６にパチンコ球が入賞すると（ステップ２５０の肯定判定）、それが有効か否かを判断し（ステップ２５２）、有効でありかつ保留の必要がない場合（ステップ２５２で肯定判定、かつステップ２５４で否定判定）、所定の確率下で特図抽選が開始される（ステップ２５６）。例えば、大当り乱数カウンタ等から乱数を取得する。なお、大当たり判定は、前記取得した乱数値と予め設定した当たり値との照合をすることで、当たり／外れを判定するものである。
【０１０７】
なお、始動入賞がなくても、保留がある場合（ステップ２５８の肯定判定）にも特図抽選は実行される。また、保留が必要の場合には（ステップ２５４の肯定判定）、保留が満タンでないことを条件に（ステップ２６０の否定判定）、保留数が加算される（ステップ２６２）。
【０１０８】
一方、普通図柄始動口としての通過装置４８にパチンコ球が入賞すると、所定の確率下で普図抽選が開始される。
【０１０９】
普図抽選の結果が当たりの場合は、電動チューリップ４７を所定回数、所定期間開放し、特別図柄始動口４６への入賞の確率を高めることができる。なお、通常遊技中の電動チューリップ４７の動作は、開閉回数が１回、開放時間が０．５秒程度である。また、特別遊技中（確率変動中等の開放延長制御がなされているとき）の電動チューリップ４７の動作は、開閉回数が２回、開放時間が２秒程度である。
【０１１０】
前記特図抽選後、その判定が実施され（ステップ２６４）、判定結果に基づいて、特別図柄変動パターンの抽選が実行され（ステップ２６６）、次いで特別図柄変動パターンの変動時間に準じた演出図柄変動パターンが選定されて（ステップ２６８）、演出制御部１５２へ演出図柄変動パターンコマンドが送出される（ステップ２７０）。
【０１１１】
主制御部１５０では、特別図柄変動パターンの変動時間を計時しており、この変動時間が終了すると（ステップ２７２の肯定判定）、当該特別図柄変動パターンに対応する抽選結果が当たりの場合に（ステップ２７４の肯定判定）、大当たり処理の実行が開始される（ステップ２７６）。
【０１１２】
大当たり処理は、予め設定したラウンド数（例えば、１５ラウンド）の特別遊技状態（大当たり処理）が実行される。この大当たり処理中は、大入賞口４４がほとんど開放状態であるため、遊技者によって有利な状態とすることができる。所定ラウンドの大当たり処理が終了すると、通常の遊技に戻る。
【０１１３】
次に、図８のフローチャートに従い、演出図柄変動パターン演出の流れを説明する。
【０１１４】
ステップ３００では、主制御部１５０からコマンドが入力したか否かが判断され、否定判定された場合にはこのルーチンは終了する。
【０１１５】
また、ステップ３００で肯定判定されると、ステップ３０２へ移行してコマンドの解析が実行され、次いでステップ３０４へ移行してタイマ２０８をリセット／スタートさせる。
【０１１６】
次のステップ３０６では、演出図柄変動パターン種を特定し、この特定した変動パターン種に基づいてスクロール画像及び背景画像を読み出す（ステップ３０８）。
【０１１７】
次のステップ３１０では、読み出したスクロール画像と背景を用いて演出図柄変動パターンの演出の実行を開始し、ステップ３１２へ移行してスイッチ５０の操作を有効として、ステップ３１４へ移行する。
【０１１８】
ステップ３１４では、スイッチ５０の操作、すなわち停止操作があったか否かが判断され、否定判定されると、ステップ３１６へ移行して変動時間が終了したか否かが判断される。このステップ３１６で否定判定された場合には、演出図柄変動パターン演出を継続し、ステップ３１４、３１６を繰り返す。
【０１１９】
ステップ３１４又はステップ３１６で肯定判定されると（スイッチ５０の操作有り、又は変動時間終了）、ステップ３１８へ移行する。
【０１２０】
ステップ３１８ではリーチ演出の有無を判断し、リーチ無し（ステップ３１８の否定判定）と判断された場合には、ステップ３２０へ移行して演出図柄変動パターンの減速制御し、仮停止状態とする。この仮停止状態で、ステップ３２２では特別図柄変動時間の終了時期か否かが判断され、このステップ３２２で否定判定された場合には、ステップ３２４へ移行して仮停止状態を維持し、ステップ３２２で肯定判定された場合には、ステップ３２６へ移行して本停止してこのルーチンは終了する。すなわち、本実施の形態では、リーチ無しは全て外れとなる。
【０１２１】
一方、ステップ３１８でリーチ有りと判定（肯定判定）されると、ステップ３２８へ移行して予告の有無を判定する。このステップ３２８で肯定判定（予告有り）されると、ステップ３３０へ移行して予告抽選が実行され、次いでステップ３３２では予告抽選の結果に基づいて滑りコマ数を設定し、ステップ３３４へ移行する。
【０１２２】
ステップ３３４では、設定された滑りコマ数を加味して演出図柄を仮停止状態とし、ステップ３３６へ移行する。また、前記ステップ３２８で予告無し（否定判定）と判定された場合には、ステップ３３８へ移行して所謂ビタ止めで仮停止を実行し、ステップ３３６へ移行する。
【０１２３】
次のステップ３３６では、仮停止した図柄を判別し、次いでステップ３４０へ移行して特別図柄のリーチタイミングか否かが判断される。このステップ３４０で否定判定された場合には、ステップ３４２へ移行して仮停止状態を維持し、ステップ３４０での肯定判定を待つ。
【０１２４】
ステップ３４０で肯定判定されると、ステップ３４４へ移行して仮停止図柄に基づいてリーチパターンを読み出し、次いでステップ３４６へ移行してリーチ演出を実行する。
【０１２５】
次のステップ３４８では、このリーチ演出が終了したか否かが判断され、肯定判定されると、ステップ３５０へ移行してリーチ演出後の演出図柄を本停止とする。なお、リーチ演出時間が予め決まっているため、この時点で特別図柄演出も終了し本停止状態となる。
【０１２６】
次のステップ３５２では、当たりか否かが判断され、肯定判定されると、ステップ３５４へ移行して、仮停止図柄に基づく大当たり演出パターンを読み出し、次いでステップ３５６へ移行して大当たり演出を実行し、このルーチンは終了する。
【０１２７】
また、ステップ３５２で否定判定された場合には、このルーチンは終了する。
【０１２８】
図９は、特別図柄変動と演出図柄変動との同期制御に関するタイミングチャートである。
【０１２９】
図９（Ａ）に示される如く、通常変動のみの場合に、スイッチ５０の操作があると、演出図柄変動は停止するが、特別図柄変動が終了（本停止）するまで仮停止状態が維持される。
【０１３０】
また、図９（Ｂ）に示される如く、リーチ演出が付加されている場合には、通常変動中にスイッチ５０の操作があると、リーチ演出開始まで仮停止状態が保持され、その後リーチ演出が実行される。リーチ演出時間は、特別図柄変動の時間に含まれているため、本停止する時間が一致する。
【０１３１】
さらに、図９（Ｃ）に示される如く、その後の大当たり演出は、特別図柄変動とは無関係であるため、大当たり処理中に演出すればよい。
【０１３２】
以上説明したように本実施の形態では、特別図柄変動に準じて演出図柄表示部４３Ｂの全域で実行される演出図柄変動パターン演出に対して、遊技者によるスイッチ５０の操作によって、当該演出図柄変動に動作停止指示を出すことができ、かつこの動作停止制御による停止図柄を、仮停止状態とすることで、特別図柄変動との時間差を吸収する。これにより、特別図柄変動としては、停止操作による影響がないため、特に主制御部１５０での制御系に負担をかけることがない。
【０１３３】
また、当たりの期待度を示す予告を実行する場合に、前記スイッチ５０による停止動作指示に対して期待度に応じた滑りコマ数を設定（抽選）したため、遊技者は自身のスイッチ５０の操作に対する停止形態（滑りの有無、滑りコマ数）によって期待度を認識することができる。
【０１３４】
さらに、リーチ演出や大当たり演出を実行する場合に、スイッチ５０による停止動作指示により仮停止した演出図柄、或いは所定時間経過後に仮停止した演出図柄に対応するリーチ演出及び大当たり演出を選択するようにしたため、演出図柄変動からリーチ演出、さらには大当たりの場合は大当たり演出まで、一環した（統一のとれた）図柄を用いた演出がなされるため、遊技者は違和感なく演出を楽しむことができる。特に、スイッチ５０を操作して停止（仮停止）させた図柄が有効に利用されることで、遊技者の遊技意欲を増大させることができる。
【０１３５】
なお、本実施の形態では、図４に示される如く、図柄変動列を２列として説明したが、図１０に示される如く、通常通り３列としてもよい。図柄変動列を３列とし、例えば、２列の図柄変動列が同一図柄で揃ったとき、リーチ演出に発展せず外れたり、ときには、リーチ演出を介さずに突然に当たり（３列の図柄変動列が全て同一の図柄で停止）となるようなパターンを形成することができる。
【図面の簡単な説明】
【０１３６】
【図１】本実施の形態に係るパチンコ機の正面図である。
【図２】本実施の形態に係る遊技機の正面図である。
【図３】本実施の形態に係るパチンコ機における制御系のブロック図である。
【図４】表示部の正面図である。
【図５】表示部に表示される演出図柄の種類を示す正面図である。
【図６】演出制御部における演出図柄変動パターン演出制御のための機能ブロック図である。
【図７】主制御部における遊技進行制御ルーチンを示すフローチャートである。
【図８】演出制御部における演出図柄変動パターン演出制御ルーチンを示すフローチャートである。
【図９】特別図柄変動と演出図柄変動の同期制御を示すタイミングチャートである。
【図１０】変形例に係る表示部の正面図（図柄変動列が３列タイプ）である。
【符号の説明】
【０１３７】
１０      パチンコ機
３２    遊技盤
４２    センター役物
４３    表示部
４３Ａ    特図表示枠
４６    特別図柄始動口
５０    スイッチ（操作部）
１５０    主制御部（特別図柄変動実行制御手段）
１５２    演出制御部（演出図柄変動実行制御手段）
１５６    図柄・音声制御部
２００    コマンド解析部
２０２    時間管理部（停止動作実行制御手段）
２０４    変動パターン特定部
２０６    予告判定部
２０８    タイマ
２１０    変動パターン読出部
２１２    背景画像データメモリ
２１４    スクロール画像データメモリ
２１６    画像合成部
２１８    変動実行指示部（演出図柄変動実行制御手段）
２２０    表示制御部
２２２    変動停止指示部（停止動作指示手段）
２２４    滑り制御部
２２６    仮停止指示部（停止動作実行制御手段）
２２８    予告抽選部
２３０    滑りコマ数決定部
２３２    仮停止図柄判別部（期待度向上演出実行制御手段）
２３４    リーチパターン読出部（期待度向上演出実行制御手段）
２３６    大当たり演出パターン読出部
２３８    リーチパターンメモリ
２４０    大当たり演出パターンメモリ
２４２    リーチ演出実行指示部（期待度向上演出実行制御手段）
２４４    大当たり演出実行指示部
２４６    表示ドライバ
【図１】
2006174863.tif 000008
【図２】
2006174863.tif 000009
【図３】
2006174863.tif 000010
【図４】
2006174863.tif 000011
【図５】
2006174863.tif 000012
【図６】
2006174863.tif 000013
【図７】
2006174863.tif 000014
【図８】
2006174863.tif 000015
【図９】
2006174863.tif 000016
【図１０】
2006174863.tif 000017